(57)【要約】【課題】クーポンをうまく活用して、集客効果を高める仕組みを提供する。【解決手段】ＰＯＳ端末３００から送信される情報に基づいてＰＯＳ端末３００以外の他のＰＯＳ端末４００の設置店で利用できる複数のクーポンを選択する（Ｓ１）。選択された複数のクーポンのいずれかが利用されたときに、当該クーポンの利用店のＰＯＳ端末を特定する（Ｓ５，Ｓ６）。その利用先のＰＯＳ端末４００の設置店に対してクーポンの利用に関する費用を請求する（Ｓ７）。【選択図】  図４
2007323129.tif 000002
【特許請求の範囲】
【請求項１】
ＰＯＳ端末から送信される情報に基づいて当該ＰＯＳ端末以外の他のＰＯＳ端末の設置店で利用できる複数のクーポンを選択する手段と、
前記選択された複数のクーポンのいずれかが利用されたときに当該クーポンの利用店のＰＯＳ端末を特定する手段と、
前記利用先のＰＯＳ端末の設置店に対して前記クーポンの利用に関する費用を請求する手段とを備えるクーポン活用支援装置。
【請求項２】
前記複数のクーポンは、クーポン利用者から予め取得している嗜好情報に基づいて選択する請求項１記載のクーポン活用支援装置。
【請求項３】
前記複数のクーポンは、前記情報の送信元のＰＯＳ端末からの前記情報の送信時刻、人数又は会計金額に基づいて選択する請求項１又は２記載のクーポン活用支援装置。
【請求項４】
前記選択されたクーポンは、前記情報の送信元のＰＯＳ端末又は前記利用者の携帯端末へ送信される請求項１から４の何れか記載のクーポン活用支援装置。
【請求項５】
請求項１から４の何れか記載のクーポン活用支援装置と、
前記クーポン活用支援装置に対して接続されている複数のＰＯＳ端末とを備えるクーポン活用支援システム。
【発明の詳細な説明】
【技術分野】
【０００１】
本発明は、クーポン活用支援装置及びシステムに関し、特に、商店街などの局所的なエリア内に属する店舗で用いることができるクーポンに係るクーポン活用支援装置及びシステムに関する。
【背景技術】
【０００２】
従来、複数の加盟店での飲食サービスを受けるためのチケットに関する発明が、例えば特許文献１に開示されている。この発明は、上記加盟店の名称と所在地が表された地図と、上記加盟店で受けることができるサービスの内容を表示したサービス表示部と、上記加盟店でサービスを受けることができる期限を表示した期限表示部と、を備えていることを特徴とするチケットに関する。
【０００３】
上記チケットによると、客は知らない店であっても複数の店で安心して飲食等のサービスを受けることができるようになり、店は多くの客に店の雰囲気やサービスに触れてもらう機会をつくって店の良さを理解してもらい、集客効果が期待できるようになる、とされている。
【０００４】
【特許文献１】特開２００２−４０９４４号公報
【発明の開示】
【発明が解決しようとする課題】
【０００５】
しかし、特許文献１に開示されている類のチケットは、通常、加盟店がそのチケットを発行してもらうためには、当該発行元に対して所定の広告代金をあらかじめ支払うことが求められる。この場合、加盟店側としては、実際の集客効果が得られるかわからない状況下では、なかなか広告代金を支払おうとするインセンティブが働きにくい。これでは、チケットの利点が得られにくいという問題がある。
【０００６】
そこで、本発明は、他の観点からクーポンをうまく活用して、集客効果を高める仕組みを提供することを課題とする。
【課題を解決するための手段】
【０００７】
上記課題を解決するために、本発明のクーポン活用支援装置は、
ＰＯＳ端末から送信される情報に基づいて当該ＰＯＳ端末以外の他のＰＯＳ端末の設置店で利用できる複数のクーポンを選択する手段と、
前記選択された複数のクーポンのいずれかが利用されたときに当該クーポンの利用店のＰＯＳ端末を特定する手段と、
前記利用先のＰＯＳ端末の設置店に対して前記クーポンの利用に関する費用を請求する手段とを備える。
【０００８】
また、本発明のクーポン活用支援システムは、上記クーポン活用支援装置と、
前記クーポン活用支援装置に対して接続されている複数のＰＯＳ端末とを備える。
【０００９】
前記複数のクーポンは、クーポン利用者から予め取得している嗜好情報、前記情報の送信元のＰＯＳ端末からの前記情報の送信時刻、人数又は会計金額に基づいて選択するとよい。また、クーポンは、前記情報の送信元のＰＯＳ端末又は前記利用者の携帯端末へ送信することができる。
【発明の実施の形態】
【００１０】
以下、本発明の実施形態について図面を参照して説明する。なお、本明細書では、商品という用語の意味に、役務又は役務に付帯するもの（例えば、飲食店で提供される飲食物）も含められるものとする。
【００１１】
図１は、本発明の実施形態のクーポン活用支援システムの模式的な構成図である。図１には、以下説明する、管理会社と、データセンター、複数の店舗（例えば、ボーリング場、カラオケ店）と、顧客とを示している。
【００１２】
管理会社には、管理会社のオペレータなどが操作する管理用端末１００が設置されている。管理用端末１００は、第１店舗（ここではカラオケ店）からの広告代金の入金管理と、上記広告代金の一部である広告手数料の第２店舗（ここではボーリング場）への支払管理と、データセンター内に設置されているサーバ２００及びデータベース（以下、「ＤＢ」と称する。）２１０のデータ管理等を行う。
【００１３】
データセンターには、種々の端末１００，３００，４００，５００等との間で情報の通信を行うサーバ２００と、サーバ２００で受信された情報が蓄積されるＤＢ２１０とが設置されている。
【００１４】
ここで、本実施形態では、顧客に対して固有の顧客ＩＤを割り当てている。また、店舗に設置されているＰＯＳ端末に対しても固有のＰＯＳ−ＩＤを割り当てている。顧客ＩＤは、一例としては、ＩＣ内蔵型の顧客カードなどを用意しておき、そのＩＣ内に顧客ＩＤを記憶させておいたり、顧客が所有する携帯端末５００などのメモリに記憶させておいたりすると、ＩＤの提示が必要なときに、その都度、顧客が入力等しなくてよいので使い勝手がよくなる。顧客カード等には、選択的に、購入した商品の価格等に応じたポイント及びサーバ２００からなされる種々の質問に対する回答を行うことで付与されるポイントを示す情報などが記憶される。ポイント等は、ネットワークに接続された顧客データベースをシステム上に用意しておき、そこに記憶してもよい。
【００１５】
なお、サーバ２００から顧客への質問例としては、例えば、ボーリング場を利用した顧客に対するものであれば、「オリジナルのサービス度」「立地アクセス度」「価格帯」「清潔度」「非日常性度合い・オケージョン」などの項目を用意しておき、顧客からこれらの項目に対して例えば５択で回答を促す。この結果、サーバ２００は、顧客から数値化された回答を得ることが可能となる。なお、当該回答を用いて、引用により本願に取り込まれたとする本出願人による特願２００６−３２０６７号明細書で説明した相関分析、回帰分析などを行うと、優れたマーケティング結果を取得することもできる。
【００１６】
ＤＢ２１０には、少なくとも、上記顧客ＩＤと、各顧客ＩＤに対応する顧客の属性情報（年齢、性別、職業、趣味など）と、クーポンに固有に割り当てられたクーポンＩＤと、クーポンを発行した店舗に設置されているＰＯＳ端末に付されているＰＯＳ−ＩＤと、クーポンが利用された店舗に設置されているＰＯＳ端末に付されているＰＯＳ−ＩＤとが蓄積される（図２，図４等を参照）。
【００１７】
サーバ２００は、例えば、ＰＯＳ端末３００から送信されてくる顧客ＩＤに基づいてＤＢ２１０を参照し、ＤＢ２１０から顧客ＩＤに対応する属性情報を読み出す読出手段を備えている。
【００１８】
また、サーバ２００は、属性情報及び顧客人数（顧客及びその同伴者の合計人数）とクーポン情報とが対応されて登録されている対応テーブルを備えている。さらに、サーバ２００は、読出手段によって読み出された属性情報及びＰＯＳ端末３００から送信されてくる顧客人数等に基づいて対応テーブルを参照して、対応するクーポン情報を選択するためのマッチング手段を備えている。
【００１９】
このため、サーバ２００は、ＰＯＳ端末３００から送信されてくる情報及びＤＢ２１０から読み出した属性情報にフィットする例えば３店分のクーポン情報を選択し、各クーポン情報をＰＯＳ端末３００に対して送信することができる。具体的なマッチング手法については後述する。
【００２０】
また、サーバ２００は、クーポン情報の送信に先立って、各クーポンに固有の番号を割り当てるとともに、当該固有番号とＰＯＳ端末３００へ送信したという情報とをＤＢ２１０に蓄積する蓄積手段を備える。
【００２１】
ボーリング場では、サーバ２００から送信されてきた各クーポン情報をＰＯＳ端末３００で受信する。このため、例えばＰＯＳ端末３００を操作する店員等が、受信したクーポン情報のそれぞれをプリントアウトして、それらを顧客に対してクーポンとして渡すことが可能となる。上記各クーポンの一つが例えばカラオケ店のものであれば、顧客はカラオケ店で実際にそのクーポンを利用することが可能となる。また、後述するように、ボーリング場で発行したクーポンが利用されたときに、ボーリング場に対してカラオケ店からのクーポンに付帯する広告収入の一部を支払う。この結果、ボーリング場及びカラオケ店の双方にメリットが生じ、局所的な地域の活性化に繋がる。ちなみに、クーポンが実際に利用される前には、ボーリング場及びカラオケ店のいずれも、広告費等を必要としない。
【００２２】
本実施形態では、クーポン利用時に、そのクーポンに割り当てられているクーポンＩＤが、クーポン利用店に設置されているＰＯＳ端末からサーバ２００へ送信されるようにする。このため、上記の例でいえば、サーバ２００は、ボーリング場で発行されたクーポンのクーポンＩＤを、ＰＯＳ端末４００から取得することができる。
【００２３】
サーバ２００は、蓄積手段によって、ＰＯＳ端末４００からクーポンＩＤを取得した旨を、ＤＢ２１０に既に蓄積されているクーポンＩＤと対応付けて蓄積する。
【００２４】
なお、サーバ２００の動作は、ソフトウェアで実現してもよいし、ハードウェアで実現してもよい。ソフトウェアで実現するためには、サーバ２００内の記憶装置に記録されているプログラムをサーバ２００内のＣＰＵに実行させればよい。
【００２５】
各店舗には、ＰＯＳ端末３００，４００が設置されている。ＰＯＳ端末３００，４００は、商品又は役務の売上管理及び在庫管理などに用いる。図１には、便宜上、店舗を２店しか示していないが、実際には、それぞれＰＯＳ端末が設置されている複数の加盟店が存在する。
【００２６】
ＰＯＳ端末３００，４００は、顧客カード等に記憶されている顧客ＩＤを読み出す手段と、商品の購入代金等に応じて還元されるポイントを顧客データベース等に書き込む手段と、販売対象の商品から商品種別を特定する特定情報（例えば商品名）を読み出す手段と、特定情報及び顧客ＩＤをサーバ２００へ送信する手段とを備えている。
【００２７】
本実施形態では、商品販売時等に、顧客カードから顧客ＩＤを読み出して、その顧客ＩＤに対して商品の購入代金に応じたポイントを付加して顧客データベースに送信し、かつ、販売対象の商品から商品種別を特定する特定情報（例えば商品名）を読み出し、特定情報及び顧客ＩＤをサーバ２００へ送信する。顧客データベースでは、顧客ＩＤをキーに対応するポイントを更新する。
【００２８】
顧客が、携帯電話機、ＰＤＡ（Personal Digital Assistant）、ノート型パーソナルコンピュータなどの携帯端末５００を所有している場合には、顧客カードの機能を携帯端末５００に取り込むことも可能となる。携帯端末５００は、クーポンに付されているコードを入力できると好ましい。当該入力には、顧客がキー操作を行うことによるコードを手入力できるものはもとより、カメラなどの撮像装置によってコードを撮像することでコード情報を取り込めるようにしたものも含む。携帯端末５００は、サーバ２００との間の情報通信を行えるように、通信機能を有していることが望ましい。係る場合には、サーバ２００から送信されるポイントを、携帯端末５００で受信して、そのポイントを携帯端末５００で管理等することもできる。
【００２９】
つぎに、図１に示すクーポン活用支援システムの動作の一例を説明する。本システムは、顧客に対して顧客カードを発行するまでの第１ステージと、顧客が第１店舗で商品を購入等して第２店舗等で利用できるクーポンを入手する第２ステージと、顧客が第２店舗でそのクーポンを利用する第３ステージと、管理会社が第２店舗から広告代金を得て第１店舗へ広告手数料を支払う第４ステージと、顧客が第１又は第２店舗に対する評価をサーバ２００へ送信することでポイントを取得する第５ステージと、管理会社で顧客からの回答に基づいてマーケティング分析する第６ステージという処理を含む。
【００３０】
まず、顧客カードを発行するまでの第１ステージについて説明する。なお、ここでは、下記顧客が通信機能を有する携帯端末５００を所持しているとしている。
【００３１】
例えば、顧客が、ＰＯＳ端末３００又はＰＯＳ端末４００等の設置店舗で、自己の性別・年齢・住所・携帯端末５００のメールアドレスを含む連絡先・嗜好情報などの属性情報を、所定の用紙に記入する。店舗には、各々に顧客ＩＤが記憶されている未使用状態の顧客カードが保管されている。店舗では、店員が、上記記入を行った顧客に対して、顧客カードを付与する。嗜好情報については、一例としては、予め用意してある種々の項目について、好き／嫌い（クーポンを欲しい／欲しくない）で記入できるようにするとよい。
【００３２】
つぎに、店員は、顧客の属性情報を、上記顧客カードの顧客ＩＤ（及び／又はカード番号）とともに、サーバ２００に送信する。具体的には、一例として、店員が、ＰＯＳ端末３００等に付帯する入力装置などを通じてＰＯＳ端末３００等へ属性情報等を入力し、ＰＯＳ端末３００等を通じてサーバ２００に属性情報等を送信するようにする。なお、属性情報等は、顧客自身が、ＰＯＳ端末３００等に付帯する入力装置に入力し、サーバ２００に送信してもよい。サーバ２００は、受信した属性情報及び顧客ＩＤを一組で、ＤＢ２１０に記憶する。
【００３３】
顧客カードの発行は、上記各店舗が加盟している商店街などで運営しているウェブサイトを通じて行うことも可能である。係る場合には、サーバ２００が、インターネットなどを介して、顧客から属性情報を取得する。
【００３４】
そして、サーバ２００の管理者等が、当該顧客に対して顧客ＩＤ及びカード番号が割り当てられている顧客カードを付与するとともに、顧客から取得した属性情報をその顧客ＩＤと共にＤＢ２１０に記憶すればよい。以上が、第１ステージの説明である。
【００３５】
つぎに、顧客が第１店舗で商品を購入等することによって、第２店舗等で利用できるクーポンを入手するという第２ステージに移行する。
【００３６】
図４は、図１に示すクーポン活用支援システムの動作の一例の説明図である。ここでは、顧客カードを付与された顧客が、ＰＯＳ端末３００が設置されているボーリング場で、ボーリングを楽しんだとする。
【００３７】
ボーリング場では、店員の操作により、ＰＯＳ端末３００は、まず、会計時などに顧客カードから顧客ＩＤを読み出す。つづいて、ＰＯＳ端末３００は、以下説明するように、自端末に割り当てられているＰＯＳ−ＩＤなどをサーバ２００へ送信する（ステップＳ１）。その後、ＰＯＳ端末３００は、会計代金に応じたポイントを、顧客データベース及び顧客カードに書き込むなどする。
【００３８】
図２は、ＰＯＳ端末３００，４００などからサーバ２００へ送信するデータ例を示す図である。図２には、顧客ＩＤと、会計時刻、顧客及びその同席者数（顧客人数）、会計金額、店舗情報などが示されている。なお、本実施形態では、サーバ２００へ送信するデータとして、顧客から発行して欲しいクーポンの種別について要望を伺い、要望がある場合には当該要望の内容を含めるようにしている。サーバ２００は、この種の情報を、ＤＢ２１０に蓄積していく（ステップＳ２）。
【００３９】
サーバ２００は、ＰＯＳ端末３００からの情報を受信すると、顧客ＩＤに基づいて携帯端末５００のメールアドレスを読み出して、そこに対して既述の質問を送信する。当該質問に対する回答が顧客から得られたら、当該回答を顧客ＩＤに紐付けて保存すると共に、その顧客に対してポイントを付与する。この質問を行うことで、マーケティングに必要な情報収集を行う。
【００４０】
サーバ２００は、ＰＯＳ端末３００から送信されてくる顧客ＩＤに基づいてＤＢ２１０を参照し、ＤＢ２１０から顧客ＩＤに対応する属性情報を読み出す。そして、この属性情報、会計時刻、顧客及びその同席者数、会計金額などを考慮して、当該顧客にフィットするクーポンを例えば３枚選択する。
【００４１】
顧客からのクーポンの種別についての要望があれば、つまり、例えば顧客が図２の１行目に示すように、カラオケで利用できるクーポンが欲しいという要望を出してきた場合には、それに従って３枚発行するクーポンのうちカラオケのクーポンを少なくとも１枚は含めるとよい。このようなクーポン発行を実現するためには、下記内容に限定されるものではないが、一例として、以下のようなマッチング手法を行う。
【００４２】
（１）手法１
最も単純な手法は、例えば、ボーリング、カラオケ、大衆居酒屋、高級居酒屋、ファミリーレストラン、イタリアンレストラン、フレンチレストラン、温泉施設、プール、アミューズメントパーク、ネットカフェ、雑貨屋などの所定の店舗情報に対して、既述の第１ステージなどにおいて、顧客から好き／嫌い（クーポンを欲しい／欲しくない）の二択で返答させておく。そして、その返答内容を用いてマッチングを行う。
【００４３】
図３は、顧客から入手してある属性情報に含まれている嗜好情報１〜１２に対して、好き嫌い（クーポンを欲しい／欲しくない）を表す「１」／「０」のいずれが割り当てられているかを示す図である。手法１においては、マッチング手段が、「１」が割り当てられている対象だけをピックアップする。
【００４４】
例えば、グラフ１１には、ボーリング「０」、カラオケ「０」、大衆居酒屋「１」、高級居酒屋「０」、ファミリーレストラン「１」、イタリアンレストラン「１」、フレンチレストラン「１」、温泉施設「０」、プール「０」、アミューズメントパーク「０」、ネットカフェ「１」、雑貨屋「０」が示されている。マッチング手段は、これらのうち、「１」が割り当てられている、大衆居酒屋等の店舗情報をピックアップする。
【００４５】
もっとも、本システムを利用する大衆居酒屋の加盟店が複数ある場合には、それらの中から例えばランダムに選択した加盟店の店舗情報をピックアップすることになる。そして、サーバ２００は、マッチング手段によってピックアップされた店舗情報のクーポン情報を、ＰＯＳ端末３００に送信する。
【００４６】
ただし、上記手法によると、本システムの利用回数が多くなった顧客ほど、特定店舗に偏ったクーポンばかりが発行されることになりやすいので、これを防止するため以下の手法２のように、顧客人数、会計金額、会計時刻などを加味して、送信対象のクーポンを選択するとよい。
【００４７】
（２）手法２
顧客人数を加味すると、５人以上であれば大人数で楽しめるカラオケやファミリーレストランで利用できるクーポンを発行し、少人数であれば寿司屋で利用できるクーポンを発行するということが可能となる。同様に、会計金額の場合には発行するクーポンを高級店で利用できるものとするか大衆店で利用できるものとするか、会計時刻の場合には例えばティータイム向きの飲食店で利用できるものとするか夕食向きの飲食店で利用できるものとするかを決定するために用いることができる。
【００４８】
対応テーブルの情報は、上記意向に鑑みて、
１．例えば１０〜１２時かつ１〜３人の場合、少人数かつ昼食に利用できるように、寿司屋、ラーメン屋、洋食屋などの店舗情報がピックアップされるようにし、
２．例えば１０〜１２時かつ４〜８人の場合、中人数かつ昼食に利用できるように、イタリアンレストラン、フレンチレストランなどの店舗情報がピックアップされるようにし、
３．例えば１０〜１２時かつ１０人以上の場合、大人数かつ昼食に利用できるように、ファミリーレストランなどの店舗情報がピックアップされるようにし、
４．例えば１２〜１７時かつ１〜３人の場合、少人数かつティータイムなどで利用できるように、カフェ、珈琲ショップ、マンガ喫茶、雑貨屋などの店舗情報がピックアップされるようにし、
５．例えば１２〜１７時かつ４〜８人の場合、中人数かつティータイムなどで利用できるように、カフェ、カラオケ店、ボーリング場などの店舗情報がピックアップされるようにし、
６．例えば１２〜１７時かつ１０人以上の場合、大人数かつティータイムなどで利用できるように、ファミリーレストラン、カラオケ店、ボーリング場、アミューズメントパークなどの店舗情報がピックアップされるようにし、
７．例えば１７〜２１時かつ１〜３人の場合、少人数かつ夕食に利用できるように、寿司屋、ラーメン屋、バーなどの店舗情報がピックアップされるようにし、
８．例えば１７〜２１時かつ４〜８人の場合、中人数かつ夕食に利用できるように、お好み焼き屋、焼肉屋、居酒屋などの店舗情報がピックアップされるようにし、
９．例えば１７〜２１時かつ１０人以上の場合、居酒屋、カラオケ店などの店舗情報がピックアップされるようにし、
１０．それ以外の時間の場合、複数人でその後店に向かうことは想定しにくいので、１〜３人の場合にピックアップされやすい、或いは、ランダムに店舗情報がピックアップされるようにする。
【００４９】
このためには、サーバ２００のマッチング手段に、ＰＯＳ端末３００から送信されてくる情報のうち会計時刻（或いは現実の時刻）及び／又は顧客人数を抽出する抽出手段と、抽出手段によって抽出された時刻／又は顧客人数が予め定められた範囲（時間帯であれば、例えば１０〜１２時、１２〜１７時、１７〜２１時、それ以外の時間を定めておく。人数であれば例えば１〜３人、４〜８人、１０人以上等を定めておく。）のいずれに該当するかを判定する判定手段と、上記範囲とこれに対応する店舗情報とを対応させて記憶してある対応テーブルと、判定結果に基づいて対応テーブルを参照して対応する店舗情報を選択する選択手段とを備えるとよい。
【００５０】
さらに、ＰＯＳ端末３００，４００等に、顧客及びその同伴者の種別、すなわち、ファミリーなのか、カップルなのか、学生団体なのか、といった客層の種別情報をサーバ２００へ送信する機能を備えると好ましい。このためには、例えば、上記抽出手段に当該情報を抽出させ、かつ、対応テーブル内に記憶しておく情報にこれらの上記客層の種別とこれに対応させて例えば高級店の店舗情報と大衆店の店舗情報とのいずれかを登録しておく。こうすると、例えば居酒屋の店舗情報が選択される状況下の場合に、高級居酒屋の店舗情報と、大衆居酒屋の店舗情報とを、客層に応じて選択することが可能となる。
【００５１】
同様に、サーバ２００では、抽出手段に適宜所要の情報の抽出をさせるようにし、かつ、対応テーブルの記憶内容に抽出された情報と対応する店舗情報とを記憶しておき、ＰＯＳ端末では所要の情報を送信できるようにすることで、客層にフィットするクーポン情報を選択することが可能となる。
【００５２】
また、例えば、仮に顧客Ｅがフレンチレストランのクーポンを欲しいが、ファミリーレストランのクーポンを欲しくないという設定にしてあったとする。この場合にも、図２の１６行目に示すように、お昼時に１０人という大人数で、ボーリング場へ出かけた場合には、ファミリーレストランのクーポンが選択されるようにすることも可能である。
【００５３】
このためには、具体的には、顧客等の人数等の事項に重み付けを行うことで実現できる。一例としては、要望＞顧客人数＞会計金額＞会計時刻＞属性情報という順などで重み付けすることが考えられる。
【００５４】
典型的には、第１に、「要望」の有無を判定して「要望」があれば当該要望に従って対応するクーポン情報を選択する。このために「要望」がある場合の顧客ＩＤにフラグを付しておき、かつ、「要望」の内容に対応するクーポン情報を紐付けておく。第２に、顧客人数が例えば５人を超えた場合には、カラオケやファミリーレストランを高確率で選択する。このために、確率の制御は、例えば、１〜２０番の乱数表と、乱数表から選択された乱数に奇数が含まれている場合にはカラオケ等を選択するという設定をしておくことで実現できる。以下同様に、重み付けを用いて一般的にフィット感の高いと考えられるクーポンを選択するとよい。
【００５５】
（３）手法３
この手法は、実際にクーポンが使用され、かつ、当該クーポンの使用者と属性情報が似た人がいる場合に、その者に対してもそのクーポンを付与する。これは、両者の嗜好情報が類似しているため、同じクーポンが利用される可能性が高く、クーポンの有効利用に貢献するとの考えに基づく。
【００５６】
この手法を実現するためには、一例としては、まず、図３に示すグラフ相互の類似性の判定を行う。具体的には、第１に、サーバ２００は、ＰＯＳ端末３００から送信された顧客ＩＤに対応する属性情報に係るグラフを読み出す。第２に、当該グラフを基準にＤＢ２１０内を参照し、画像認証技術などを用いて類似する顧客に係るグラフを特定する。第３に、その顧客が利用したクーポンのクーポン情報をＰＯＳ端末３００に送信すればよい。本例の場合、例えば、グラフ１４に対してグラフ１１が類似するという特定結果が得られる可能性が高い。
【００５７】
もっとも、グラフ及び画像認証技術の利用に代えて、「１」と「０」との１２桁の数字の組み合わせの類似性を、テキストマッチング技術等を用いて判定してもよい。
【００５８】
また、サーバ２００は、各クーポン情報をＰＯＳ端末３００に対して送信するのに先立って、送信対象の各クーポンに固有の送信番号を割り当てるとともに、当該各送信番号とクーポンの送信先がＰＯＳ端末３００であるという情報とを一対でＤＢ２１０に蓄積し、その後、実際に各クーポン情報をＰＯＳ端末３００に対して送信する（ステップＳ３）。
【００５９】
ボーリング場では、サーバ２００から送信されてきた各クーポン情報をＰＯＳ端末３００で受信すると、それぞれプリントアウトなどしたクーポンを顧客に渡す。このため、上記各クーポンの一つが例えばカラオケ店のものであれば、顧客はカラオケ店で実際にそのクーポンを利用することが可能となる（ステップＳ４）。以上が第２ステージの内容である。
【００６０】
つぎに、顧客が第２店舗でそのクーポンを利用するという第３ステージについて説明する。ここでは、顧客がカラオケ店でクーポンを利用する場合を例に説明する。本システムでは、クーポン利用時に、そのクーポンに割り当てられているクーポンＩＤを、ＰＯＳ端末４００に割り当てられているＰＯＳ−ＩＤとともに、ＰＯＳ端末４００からサーバ２００へ送信させる（ステップＳ５）。
【００６１】
サーバ２００は、ＰＯＳ端末４００からのクーポンＩＤを取得すると、そのクーポンＩＤを、ＤＢ２１０に既に蓄積されているクーポンＩＤと対応付けて蓄積する（ステップＳ６）。
【００６２】
具体的には、図４に示すように、ＤＢ２１０には、クーポンＩＤと、クーポンを発行したＰＯＳ端末に割り当てられているＰＯＳ−ＩＤ（クーポン発行ＰＯＳ）と、クーポンを利用したＰＯＳ端末に割り当てられているＰＯＳ−ＩＤ（クーポン利用ＰＯＳ）とが一組で登録される。もっとも、本例では、クーポンを例えば３枚顧客に発行しているところ、典型的に、その中からいずれか１枚のクーポンのみ利用されると考えられるところ、クーポン利用ＰＯＳの欄の大半はブランクとなる。以上が、第３ステージの説明である。
【００６３】
つぎに、管理会社が第２店舗から広告代金を得て第１店舗へ広告手数料を支払う第４ステージについて説明する。サーバ２００は、第３ステージで取得したＰＯＳ−ＩＤから、クーポン利用店に設置されているＰＯＳ端末がＰＯＳ端末４００であることを把握している。サーバ２００は、クーポン利用店宛て、具体的にはＰＯＳ端末４００宛てに広告代金を請求する（ステップＳ７）。これに応じて、ＰＯＳ端末４００側から広告代金の支払いがなされると（ステップＳ８）、その一部が広告手数料として、ＰＯＳ端末３００側へ支払われる（ステップＳ９）。以上が第４ステージの説明である。もっとも、ステップＳ７〜Ｓ９は、それぞれ、サーバ２００の管理者等、ＰＯＳ端末４００の設置店の店長等、ＰＯＳ端末４００の設置店の店長等が行ってもよい。
【００６４】
つぎに、顧客が第１又は第２店舗に対する評価をサーバ２００へ送信することでポイントを取得するという第５ステージについて説明する。
【００６５】
サーバ２００は、第３ステージでクーポンＩＤを取得しているので、ＤＢ２１０から当該クーポンＩＤに対応する顧客ＩＤに係るメールアドレス（携帯端末５００のメールアドレス）を取得する。
【００６６】
また、サーバ２００は、ＤＢ２１０から当該クーポンＩＤに対応するＰＯＳ−ＩＤの各々から、ＰＯＳ端末３００，４００に係る店舗を特定し、当該各店舗に応じた質問を携帯端末５００のメールアドレス宛てにｅメールで送信する。なお、この種の質問は、店舗ごと或いはその種別ごとにテンプレート化してＰＯＳ−ＩＤ等と紐付けて記憶しておくと、上記処理が簡素化できるので好ましい。また、３枚のクーポンのそれぞれを利用して受けられるサービス内容、発行されたクーポンのフィット感などを質問事項に含めてもよい。
【００６７】
携帯端末５００は、サーバ２００から送信された質問を受信すると、それをディスプレイに表示などして、顧客に質問に対する回答を入力するように促す。これに応じて、顧客が回答を携帯端末５００の文字ボタンなどを通じて入力してから送信ボタンを押下すると、その回答が、携帯端末５００からサーバ２００宛にｅメール或いはウェブメールなどを通じて送信されるようにしてある。また、ウェブ回答画面を通じて、サーバ２００に対して直接回答を送信してもよい。
【００６８】
サーバ２００では、携帯端末５００からの回答を受けると、これを対応する顧客ＩＤとともにＤＢ２１０に記憶していく。また、サーバ２００は、回答者に対しては、顧客カード等に蓄積できるポイントなどを回答の御礼として付与する。以上が第５ステージの説明である。
【００６９】
つぎに、管理会社で顧客からの回答に基づいてマーケティング分析する第６ステージについて説明する。まず、管理用端末１００は、顧客から回答された役務に関する数値化された評価情報と、役務提供先に関する数値化された評価情報と、顧客自身の連絡先を含む情報とを、ＤＢ２１０から読み出す。つづいて管理用端末１００は、これらの各情報のうちいずれか２つの相関分析を行い、残りの情報と相関分析結果との回帰分析を行う。その他のマーケティング分析の詳細は、既述の特願２００６−３２０６７号明細書に詳述してある。以上が第６ステージの説明である。
【００７０】
図５は、図４に示す動作の変形例を示す図である。この例では、カメラ付きの携帯端末５００を用いたクーポン活用支援システムの動作について説明する。
【００７１】
まず、図４のステップＳ１〜Ｓ３で説明した場合と同様に、ＰＯＳ端末３００からサーバ２００に対してＰＯＳ−ＩＤなどが送信され（ステップＳ１１）、サーバ２００がＰＯＳ−ＩＤなどをＤＢ２１０に蓄積し（ステップＳ１２）、サーバ２００からＰＯＳ端末３００に対してクーポン情報を送信する（ステップＳ１３）。その結果、顧客は、クーポンを入手することができる。
【００７２】
その後、顧客が、入手したクーポンが利用できるカラオケ店に向かい、クーポンを利用したとする。ここでのクーポン利用は、単にカラオケ店側にクーポンを提示するのみならず、そのクーポンに割り当てられているクーポンＩＤを、携帯端末５００のカメラによって撮像し（ステップＳ１４）、携帯端末５００からサーバ２００へ送信することも含む（ステップＳ１５）。
【００７３】
また、顧客が顧客カードを提示してカラオケ店で会計することで、ＰＯＳ端末４００から、顧客ＩＤ、会計金額等の情報がサーバ２００に送信されることになる。サーバ２００は、これにより、サーバ２００は、携帯端末５００から送信されてきたクーポンＩＤが、実際にカラオケ店で利用されたことを確認すると、ステップＳ６と同様に、クーポンＩＤを、ＤＢ２１０に既に蓄積されているクーポンＩＤと対応付けて蓄積する（ステップＳ１６）。
【００７４】
その後、サーバ２００は、ＰＯＳ端末４００から送信されてきた、顧客ＩＤに対応する携帯端末５００のｅメールアドレス宛てに、会計金額に応じたポイントを送信する（ステップＳ１７）。その後の動作は、ステップＳ７〜Ｓ９の場合と同様である（ステップＳ１８〜Ｓ２０）。
【００７５】
ここで、図５では、クーポン情報の送信先を、ＰＯＳ端末３００と送信しているが、当該送信先は携帯端末５００としてもよい。このためには、ＰＯＳ端末３００を用いた会計時に、顧客がボーリング場に対して顧客カードを提示することで顧客ＩＤをＰＯＳ端末３００からサーバ２０へ送信する必要がある。こうすると、サーバ２００は、ＤＢ２１０内から顧客ＩＤに対応するｅメールアドレス宛てに、クーポン情報を送信することが可能となる。この結果、顧客は、読取作業（ステップＳ１４）を行わなくてもよくなるというメリットがある。
【図面の簡単な説明】
【００７６】
【図１】本発明の実施形態のクーポン活用支援システムの模式的な構成図である。
【図２】ＰＯＳ端末３００，４００などからサーバ２００へ送信するデータ例を示す図である。
【図３】顧客から入手してある属性情報に含まれている嗜好情報１〜１２の好き嫌いを示す図である。
【図４】図１に示すクーポン活用支援システムの動作の一例の説明図である。
【図５】図４に示す動作の変形例を示す図である。
【符号の説明】
【００７７】
１００  管理用端末
２００  サーバ
２１０  ＤＢ
３００，４００  ＰＯＳ端末
５００  携帯端末
【図１】
2007323129.tif 000003
【図２】
2007323129.tif 000004
【図３】
2007323129.tif 000005
【図４】
2007323129.tif 000006
【図５】
2007323129.tif 000007